【手続補正書】
【提出日】平成25年11月6日(2013.11.6)
【手続補正１】
【補正対象書類名】特許請求の範囲
【補正対象項目名】全文
【補正方法】変更
【補正の内容】
【特許請求の範囲】
【請求項１】
遊技領域に設けられた始動領域に侵入した遊技球を検出する遊技球検出手段と、
該遊技球検出手段からの検出信号に基づいて遊技者にとって有利な大当り遊技状態を発生させるか否かの当落判定を実行する主制御手段からの当落判定コマンドに基づいて演出の進行を制御する副制御手段と、
遊技者の指や手のひらにより操作される操作部を有する操作装置と、
を備える遊技機であって、
前記操作装置は、少なくとも、
正転と逆転とのいずれにも回転させることができる電気的回転駆動手段と、
該電気的回転駆動手段の出力軸の回転が前記操作部に伝達されて時計方向と反時計方向とのいずれにも回転させられる当該操作部の回転方向を検出する回転方向検出手段と、
を備え、
前記副制御手段は、少なくとも、
前記回転方向検出手段からの検出信号に基づいて前記操作部の回転動作状態を把握する回転動作状態把握制御手段と、
前記電気的回転駆動手段の出力軸を回転させて前記操作部に挙動を付与する駆動制御手段と、
を含み、
前記駆動制御手段は、前記回転動作状態把握制御手段が前記演出の進行と無関係に前記操作部が遊技者の指や手のひらにより操作されている状態であると把握したときには前記電気的回転駆動手段の出力軸を回転させて前記操作部に挙動を付与することを特徴とする遊技機。
【手続補正２】
【補正対象書類名】明細書
【補正対象項目名】０００１
【補正方法】変更
【補正の内容】
【０００１】
本発明は、操作部を有する遊技機に関するものである。
【手続補正３】
【補正対象書類名】明細書
【補正対象項目名】０００２
【補正方法】変更
【補正の内容】
【０００２】
従来より、押下方向に移動操作に加えて、前後左右方向に移動操作することができる操作装置を備える遊技機が提案されている（例えば、特許文献１）。この特許文献１に記載される遊技機では、その操作装置の操作部材（操作部）を前後左右方向に移動操作することによって画像表示部に表示されるキャラクタの移動方向の選択のほかに、遊技演出の場面、状況、文字等を選択することができるようになっている。
【手続補正４】
【補正対象書類名】明細書
【補正対象項目名】０００４
【補正方法】変更
【補正の内容】
【０００４】
ところが、特許文献１に記載される遊技機では、画像表示部の表示内容の指示に従って単に操作されるものであるため、操作部材（操作部）自体が遊技性を創出するものとはなり得なかった。
【手続補正５】
【補正対象書類名】明細書
【補正対象項目名】０００５
【補正方法】変更
【補正の内容】
【０００５】
本発明は、このような事情に鑑みてなされたものであり、その目的とするところは、操作部による斬新な遊技性を創出することができる遊技機を提供することにある。
【手続補正６】
【補正対象書類名】明細書
【補正対象項目名】０００７
【補正方法】変更
【補正の内容】
【０００７】
（解決手段１）
遊技領域に設けられた始動領域に侵入した遊技球を検出する遊技球検出手段と、該遊技球検出手段からの検出信号に基づいて遊技者にとって有利な大当り遊技状態を発生させるか否かの当落判定を実行する主制御手段からの当落判定コマンドに基づいて演出の進行を制御する副制御手段と、遊技者の指や手のひらにより操作される操作部を有する操作装置と、を備える遊技機であって、前記操作装置は、少なくとも、正転と逆転とのいずれにも回転させることができる電気的回転駆動手段と、該電気的回転駆動手段の出力軸の回転が前記操作部に伝達されて時計方向と反時計方向とのいずれにも回転させられる当該操作部の回転方向を検出する回転方向検出手段と、を備え、前記副制御手段は、少なくとも、前記回転方向検出手段からの検出信号に基づいて前記操作部の回転動作状態を把握する回転動作状態把握制御手段と、前記電気的回転駆動手段の出力軸を回転させて前記操作部に挙動を付与する駆動制御手段と、を含み、前記駆動制御手段は、前記回転動作状態把握制御手段が前記演出の進行と無関係に前記操作部が遊技者の指や手のひらにより操作されている状態であると把握したときには前記電気的回転駆動手段の出力軸を回転させて前記操作部に挙動を付与することを特徴とする遊技機。
【手続補正７】
【補正対象書類名】明細書
【補正対象項目名】０００８
【補正方法】変更
【補正の内容】
【０００８】
この遊技機では、遊技球検出手段、主制御手段、副制御手段、操作装置を備えている。遊技球検出手段は、遊技領域に設けられた始動領域に侵入した遊技球を検出している。主制御手段は、遊技球検出手段からの検出信号に基づいて遊技者にとって有利な大当り遊技状態を発生させるか否かの当落判定を実行している。副制御手段は、主制御手段が当落判定を実行した当落判定コマンドを受けて、この当落判定コマンドに基づいて演出の進行を制御している。操作装置は、操作部を有しており、遊技者がその指や手のひらで操作部を操作することができるようになっている。
【手続補正８】
【補正対象書類名】明細書
【補正対象項目名】０００９
【補正方法】変更
【補正の内容】
【０００９】
操作装置は、少なくとも、電気的回転駆動手段、回転方向検出手段を備えている。この電気的回転駆動手段は、正転と逆転とのいずれにも回転させることができる。操作部は、電気的回転駆動手段の出力軸の回転が伝達されることにより、時計方向と反時計方向とのいずれにも回転させられるようになっており、回転方向検出手段がその操作部の回転方向を検出している。
【手続補正９】
【補正対象書類名】明細書
【補正対象項目名】００１０
【補正方法】変更
【補正の内容】
【００１０】
副制御手段は、少なくとも、回転動作状態把握制御手段、駆動制御手段を含んでいる。回転動作状態把握制御手段は、回転方向検出手段からの検出信号に基づいて操作部の回転動作状態を把握するものである。駆動制御手段は、電気的回転駆動手段の出力軸を回転させて操作部に挙動を付与するものである。
【手続補正１０】
【補正対象書類名】明細書
【補正対象項目名】００１１
【補正方法】変更
【補正の内容】
【００１１】
駆動制御手段は、回転動作状態把握制御手段が演出の進行と無関係に操作部が遊技者の指や手のひらにより操作されている状態であると把握したときには電気的回転駆動手段の出力軸を回転させて操作部に挙動を付与するようになっている。
【手続補正１１】
【補正対象書類名】明細書
【補正対象項目名】００１２
【補正方法】変更
【補正の内容】
【００１２】
このように、本発明の遊技機では、演出の進行とまったく無関係に操作部が遊技者の指や手のひらにより操作されている状態であると把握したときには電気的回転駆動手段の出力軸が回転することによって操作部に挙動が付与されるようになっているため、突発的に操作部が動き出すこととなる。換言すると、遊技者が演出とまったく関係ない無意味な操作を操作部に対して行うと、これに遊技機が応えて操作部に挙動が付与されるようになっており、遊技者が操作部に対して無意味な操作を行わないように注意を促すような振る舞いをする。このような操作部による挙動により、まるで遊技機が意志を持っているかのような印象を遊技者に与えることができる。したがって、操作部による斬新な遊技性を創出することができる。
【手続補正１２】
【補正対象書類名】明細書
【補正対象項目名】００１３
【補正方法】変更
【補正の内容】
【００１３】
ここで、操作部による挙動としては、例えば、電気的回転駆動手段の出力軸を正転させる回転と逆転させる回転とを交互に繰り返し小刻みに実行することで操作部を時計方向と反時計方向とのいずれにも交互に繰り返し小刻みに回転することで操作部に触れた遊技者の指や手のひらを加振するもの、操作部に触れた遊技者の指や手のひらにより操作部が時計方向又は反時計方向へ回転したときに、その回転と逆方向となるように電気的回転駆動手段の出力軸の回転方向の転換を実行して遊技者による操作部の回転方向に対抗して回転するもの等を挙げることができる。
【手続補正１３】
【補正対象書類名】明細書
【補正対象項目名】００１４
【補正方法】変更
【補正の内容】
【００１４】
本実施形態では、例えば、図９５の遊技領域１１００が遊技領域に相当し、図９５の上始動口２１０１、及び下始動口２１０２が始動領域に相当し、図９７の上始動口スイッチ３０２２、及び下始動口スイッチ２１０９が遊技球検出手段に相当し、図１２２の主制御側タイマ割り込み処理におけるステップＳ８６の特別図柄及び特別電動役物制御処理の一処理として実行される、「大当り判定用乱数を更新するカウンタの値を取り出して主制御内蔵ＲＯＭに予め記憶されている大当り判定値と一致するか否かを判定（大当り遊技状態を発生させるか否かを判定（「特別抽選」という。））」という記載が「遊技者にとって有利な大当り遊技状態を発生させるか否かの当落判定する」という記載に相当し、図９７の主制御基板４１００が主制御手段に相当し、図１１７の特図１同調演出関連に区分される特図１同調演出開始コマンド、及び特図２同調演出関連に区分される特図２同調演出開始コマンド等が当落判定コマンドに相当し、図９７の周辺制御基板４１４０が副制御手段に相当し、図４１のダイヤル操作部４０１が操作部に相当し、図４１の操作ユニット４００が操作装置に相当し、図１のパチンコ遊技機１が遊技機に相当し、図４３のダイヤル駆動モータ４１４が電気的回転駆動手段に相当し、図４３の回転検出スイッチ４３２ａ，４３２ｂが回転方向検出手段に相当し、図１４３の周辺制御部２ｍｓ定常処理加振制御におけるステップＳ１０５６のスイッチ入力処理の一処理である、図１４６の回転検出スイッチ履歴作成処理で作成された回転検出スイッチ検出履歴情報ＤＳＷ０−ＨＩＳＴ，ＤＳＷ１−ＨＩＳＴから、ダイヤル操作部４０１が停止している状態であるか（換言すると、ダイヤル駆動モータ４１４が脱調している状態であるか）、時計方向に回転している状態であるか、反時計方向に回転している状態であるか、を把握し、」という記載が回転動作状態把握制御手段に相当し、「周辺制御ＭＰＵ４１５０ａは、ダイヤル操作部４０１が遊技者の指や手のひらにより操作されている状態であると把握したときにはダイヤル駆動モータ４１４の出力軸を回転させてダイヤル操作部４０１を時計回り、又は反時計回りに回転させるという挙動を付与して遊技者によるダイヤル操作部４０１の回転方向に対抗して回転するようになっている。」点が駆動制御手段に相当する。
【手続補正１４】
【補正対象書類名】明細書
【補正対象項目名】００１５
【補正方法】変更
【補正の内容】
【００１５】
本発明の遊技機においては、操作部による斬新な遊技性を創出することができる。
【手続補正１５】
【補正対象書類名】明細書
【補正対象項目名】１１０４
【補正方法】変更
【補正の内容】
【１１０４】
１…パチンコ遊技機（遊技機）、２…外枠、３…本体枠、４…遊技盤、５…扉枠、４００…操作ユニット（操作装置）、４０１…ダイヤル操作部（操作部）、４１０…従動ギア、４１２…駆動ギア、４１４…ダイヤル駆動モータ（電気的回転駆動手段）、４３２ａ…回転検出スイッチ（回転方向検出手段）、４３２ｂ…回転検出スイッチ（回転方向検出手段）、８５１…電源基板、８５１ａ…全波整流回路、８５１ｂ…力率改善回路、８５１ｃ…平滑化回路、８５１ｄ…＋５．２Ｖ作成回路、８５１ｅ…＋５．２５Ｖ作成回路、８５１ｆ…＋１２Ｖ作成回路、８５１ｇ…＋２４Ｖ作成回路、１１００…遊技領域、２１０９…下始動口スイッチ（遊技球検出手段）、３０２２…上始動口スイッチ３０２２（遊技球検出手段）、４１００…主制御基板（主制御手段）、４１００ａ…主制御ＭＰＵ、４１００ａｅ…主周シリアル送信ポート、４１１０…払出制御基板、４１１０ｂ…停電監視回路、４１４０…周辺制御基板（副制御手段）、４１５０…周辺制御部、４１６０…液晶制御部、４１７０…ランプ駆動基板、４１８０…モータ駆動基板、ＭＲ２０…プルアップ抵抗、ＭＲ２１，ＭＲ２２…抵抗、ＭＴＲ２０…トランジスタ、ＭＣ２…電解コンデンサ、ＭＣ２０…電解コンデンサ、ＭＤ２０…ダイオード。